(57)【特許請求の範囲】
【請求項１】
複数枚のガラス板を四方枠体に嵌めたガラスパネルを床レールに配置したアジャスターによって適当な高さに支持した巾木上に載置し、ガラスパネルの上端は天井に固定した天井レールと係合して構成されるガラス間仕切りの天井構造において、上記ガラスパネルの上端と天井とを連結する為の突っ張り金具を間に介在し、突っ張り金具は天井レール内に収容すると共に基台に設けた止着片を天井にネジ止めした構造とし、基台のネジ穴に螺合したアジャスターネジを下方へ延ばして該アジャスターネジ下端の頭部には当接板を取付けして構成し、そして、ガラスパネルの上桟のガラス溝底には上記アジャスターネジ頭部を回転することが出来る穴を設け、該当接板をガラスパネルの上桟に当接又は係合したことを特徴とするガラス間仕切りの天井構造。
【請求項２】
上記ガラスパネルの上桟に形成したガラス溝底の上記アジャスターネジ頭部を回転する為の穴とは別の位置に設けた穴からネジを挿入して上記当接板に上桟がネジ固定された請求項１記載のガラス間仕切りの天井構造。
【発明の詳細な説明】
【技術分野】
【０００１】
本発明はガラスパネル上端と天井との間に突っ張り金具を介在したガラス間仕切りの天井構造に関するものである。
【背景技術】
【０００２】
図９はガラス間仕切り装置の一部を表しているが、ガラスパネル（イ）は上桟（ロ）、下桟（ハ）、及び両縦桟（ニ）、（ニ）によって枠組みした四方枠体にガラス板（ホ）が嵌って構成している。そして、このガラスパネル（イ）は床面に敷設した床レール（ヘ）の所々に配置したアジャスター（ト）、（ト）・・・に支持された巾木（チ）に載って支持され、上端は天井レール（リ）と連結し、隣合うガラスパネル（イ）、（イ）の側端は間に介在しているスタッド（ヌ）と連結している。
【０００３】
図１０はガラス間仕切りの横断面と縦断面を示す具体例であるが、四方枠体には１枚のガラス板（ホ）が嵌っていて、このガラスパネル（イ）、（イ）・・・はスタッド（ヌ）、（ヌ）・・・を介して連結している。スタッド（ヌ）は透明でなく、その為にガラス間仕切りに数多くのスタッド（ヌ）、（ヌ）・・・が起立することは外観が損なわれ、好ましくない。勿論、大きな四方枠体を組み立て、これに大きなガラス板（ホ）を嵌めることも可能であるが、ガラス板（ホ）の重量は重たくて、枠体に嵌めることは容易でない。
【０００４】
ペーパーコアを充填材（芯材）とし、その両面に金属製の表面材を貼着したパネルであれば、該パネル下端を巾木に載置し、パネル上端は天井に固定した天井レールに係合して据付け、パネル両側は起立するスタッドに連結することが出来る。しかし、非常に重いガラスパネルの場合、金属製表面材を貼着したパネルと同じ据付け構造とすることは出来ない。
【０００５】
そこで、パネル上端と天井との間に突っ張り金具を介在し、この突っ張り金具を突っ張ることにより、パネルを押下げて巾木上に安定して載置すると共に、パネル上端を天井と連結するように構成した間仕切りが知られている。
特開２００１−９０２３３号に係る「間仕切パネルの固定構造」は、住宅等の躯体のバラツキを調整しつつ間仕切パネルを簡単、確実に建て込んで固定するものであり、間仕切パネルの上端部に昇降自在に装着せるアジャスターボルトの頭部を天井レールの溝幅方向に拡開自在に形成せしめ、天井レールの溝内に拡開密着させて間仕切パネルを突張り固定することが出来る。
【０００６】
ところで、上記アジャスターボルトを突っ張り金具として使用し、このアジャスターボルトを回転することで天井とパネル上端とが連結固定される。その為にパネル上端部にはアジャスターボルトが嵌るネジ穴を設ける必要があり、その為に、本発明が対象とするガラスパネルに適用することは出来ない。また、アジャスターネジを用いた突っ張り金具の場合にはパネルを下方へ押圧することでパネル上端を固定するように機能するが、大きなガラスパネルの場合には単に下方へ押圧するだけでは十分でない。
【特許文献１】特開２００１−９０２３３号に係る「間仕切パネルの固定構造」
【発明の開示】
【発明が解決しようとする課題】
【０００７】
このように、アジャスターネジで構成した突っ張り金具を用いた間仕切り装置には上記のごとき問題がある。本発明では重量が非常に大きなガラスパネルを使用したガラス間仕切りを対象とし、その上端を安定して天井に固定することが出来る突っ張り金具及び該突っ張り金具を用いたガラス間仕切りの天井構造を提供する。
【課題を解決するための手段】
【０００８】
本発明のガラス間仕切りは、四方枠体に複数枚のガラス板を嵌めてガラスパネルを構成し、このガラスパネルの下端はアジャスターにて適度な高さに支持された巾木の上に載置され、ガラスパネルの上端は天井に固定した天井レールに係合している。しかも、パネル上端と天井との間には突っ張り金具が介在してガラスパネル上端を天井に連結固定した構造と成っている。
【０００９】
ところで、突っ張り金具は基台にアジャスターネジを螺合して設け、該アジャスターネジの下端頭部には当接板を取付け、そしてアジャスターネジを回転することで降下してガラスパネルの上桟に当接板が当接する。そこで、該基台は天井レールの内側から天井にネジ止めされ、その為に基台の両側にはネジ止めする為の止着片を設けている。そして、基台内部にはナットが固定され、このナットのネジ穴にアジャスターネジが螺合している。また、基台そのものにネジ穴を形成する場合もある。
【００１０】
アジャスターネジは下方へ延びて下端の頭部には当接板が取付けられ、アジャスターネジを回転して降下させるならば、ガラスパネルの上桟に上記当接板が当接することが出来る。ここで、アジャスターネジを回転することが出来るように、ガラスパネルの上桟のガラス溝底には穴が形成され、この穴に工具を挿入してアジャスターネジの頭部を回転する。また、ガラス溝底には工具挿入穴を中心として外方向に別の穴が貫通し、この穴にネジを挿入して当接板と上桟をネジ止めすることもある。ここで、上記当接板の形状を円盤としたり、角板とすることもあり、円盤の場合にはアジャスターネジの頭部に溶接し、角板の場合にはアジャスターネジのみが回って該角板は回転しない取付け構造とすることも可能である。
【発明の効果】
【００１１】
本発明のガラス間仕切りは、ガラスパネルの下端を巾木に載置すると共に、上端を天井レールに係合し、さらにガラスパネル上端と天井間には突っ張り金具を介在している。この突っ張り金具に設けたアジャスターネジを回転することで下方へ延び、アジャスターネジ下端の頭部に固定した当接板はガラスパネル上桟に当接し、ガラスパネル上桟は当接板にネジ止めされる。
【００１２】
従って、ガラスパネル上端は天井レールに係合すると共に突っ張り金具を介して天井と連結されることで、非常に重いガラスパネルを安定して据付けることが出来る。ここで、複数枚のガラス板が嵌った四方枠体は大きくなり、上桟の中央部は自重によって撓み変形するが、当接板に上桟をネジ止めすることでこの撓みが防止される。また、当接板にネジ止めしない場合にも、当接板を上桟に係合することでガラスパネル上端の位置決めをすることが可能である。
【００１３】
本発明の突っ張り金具はアジャスターネジを備えているが、このアジャスターネジは基台に設けたネジ穴に螺合し、下方へ降下して延びるアジャスターネジの下端頭部に当接板を設け、この当接板を介してガラスパネル上桟とネジ止めする連結構造である。従って、ガラスパネルには特開２００１−９０２３３号に係る「間仕切パネルの固定構造」のように、アジャスターネジが螺合して嵌るネジ穴は不要となり、深いネジ穴を設けることが出来ないガラスパネルに適している。
【図面の簡単な説明】
【００１４】
【図１】ガラス間仕切りの正面図で、（ａ）四方枠体に２枚のガラス板を嵌めた場合、（ｂ）は四方枠体に３枚のガラス板を嵌めた場合。
【図２】図１のＡ−Ａ断面拡大図。
【図３】図１のＢ−Ｂ断面拡大図。
【図４】図３の上部拡大図で、突っ張り金具を介してガラスパネル上端と天井を連結する構造。
【図５】突っ張り金具の具体例で、正面図、底面図、及び側面図を示す。
【図６】突っ張り金具の他の具体例で、正面図、底面図、及び側面図を示す。
【図７】突っ張り金具を介してガラスパネル上端と天井を連結する構造。
【図８】突っ張り金具を介してガラスパネル上端の上桟に形成した溝に当接板を嵌めて天井と連結する他の連結構造。
【図９】従来のガラス間仕切りを示す正面図。
【図１０】従来のガラス間仕切りの横断面図と縦断面図。
【発明を実施するための形態】
【００１５】
図１はガラスパネル１を示す実施例であり、（ａ）は２枚のガラス板２，２が四方枠体３に嵌っている。四方枠体３は上桟４、下桟５、及び両縦桟６，６を枠組みして構成している。同じく（ｂ）は３枚のガラス板２，２，２が四方枠体３に嵌っている。ところで、このガラスパネル１は床レールの所々に配置したアジャスターに支持されている巾木７に載置され、ガラスパネル１の上端は天井に固定した天井レール８に係合している。
【００１６】
図２は図１のＡ−Ａ断面拡大図であり、ガラスパネル１，１・・・の間にはスタッド９，９・・・が介在している。また、壁面側には壁レール１０が上下に延び、該壁レール内に起立したスタッド９にガラスパネル１の側端が連結している。そして、ガラス板２，２の間には樹脂製のジョイント材１１が介在して両ガラス板２，２を繋いでいる。ジョイント材１１はその断面を概略Ｈ型とし、ジョイント片１２ａ，１２ｂにてガラス板２，２の側端を挟み込んでいる。両ジョイント片１２ａ，１２ｂは中央に連結部位を設け、ガラス板２，２間の隙間に位置する連結部位を介して両ジョイント片１２ａ，１２ｂは繋がっている。
【００１７】
四方枠体の縦桟６，６にはガラス溝１３，１３が設けられ、このガラス溝１３，１３にガラス板２，２の側端が嵌り、ビード１４，１４・・・を介して固定されている。図３は図１のＢ−Ｂ断面拡大図を示している。床面１５には床レール１６が敷設され、該床レール１６の所々にアジャスター１７，１７・・・を配置し、このアジャスター１７，１７・・・にて巾木７を適当な高さに支持し、そして巾木７にはガラスパネル１の下端が載置されている。重いガラス板２は下桟５のガラス溝１３に嵌ると共に該下桟５にその重量を負荷している。
【００１８】
ガラスパネル１の下桟５はガラス溝１３から挿通したネジを巾木７にネジ止めしている。勿論、ネジ止めは四方枠体にガラス板２を嵌める前に行い、ガラスパネル１の下端を安定した状態で固定している。そして、天井面１８には天井レール８が固定され、この天井レール８の両側片１９ａ，１９ｂの間にガラスパネル１の上端部が嵌って拘束されている。
【００１９】
表面材を貼着した一般的なパネルであれば、天井に天井レールを固定し、この天井レールにパネル上端を係合する構造で十分であるが、重量が非常に大きな本発明のガラスパネルでは、突っ張り金具２０を設けている。すなわち、天井とガラスパネル１の上桟４を突っ張り金具２０を介して連結した構造と成っている。
【００２０】
図４はガラスパネル１の上端と天井の間に突っ張り金具２０を介在して連結する構造を示す図３の拡大図である。突っ張り金具２０はコ型をした基台２１が天井にネジ止めされ、そして基台２１に溶接したナット２２にはアジャスターネジ２３が螺合して下方へ延びている。アジャスターネジ２３の下端に設けている頭部２４には当接板として機能する円盤２５が溶接にて固定され、該アジャスターネジ２３を回転するならば、円盤２５も回転して上下動することが出来る。
【００２１】
円盤２５はガラスパネル１の上桟４に当接し、この状態で上桟４はネジ２６にて該円盤２５に連結・固定されている。従って、ガラスパネル１の上端は突っ張り金具２０を介して天井に連結される。ところで、アジャスターネジ２３の調整はガラス板２が嵌っていない状態で、ガラス溝１３の底から操作する。すなわち、ガラス溝底に穴を設け、この穴に工具を挿入して頭部２４を回転する。また、  別の穴にネジ２６を挿入して円盤２５にネジ止めする。すなわち、頭部２４を工具で回転して降下し、円盤２５を上桟４に近接したところで上桟４を円盤２５にネジ２６にてネジ止めする。
【００２２】
図５は突っ張り金具２０を示す具体例であり、正面図、底面図、側面図をそれぞれ表している。コ型をした基台２１には止着片２７，２７が両側へ延び、該止着片２７，２７には長穴が形成されている。この長穴２７，２７に前記図４に示すようにネジ２８，２８を挿入して天井に固定される。ナット２２は基台２１に溶接され、ナット２２のネジ穴に上記アジャスターネジ２３が螺合している。
【００２３】
ナット２２は長く、従ってアジャスターネジ２３も長くして基台２１から下方へ大きく延びることが出来る。そして、下端に位置する頭部２４に平座金を介して円盤２５が載って溶接されている。上桟４にはネジを締付けるための穴があいていて、円盤２５に上桟４のガラス溝１３から挿入したネジ２６，２６が締付けられ、上桟４は円盤２５と連結する。ここで、基台２１はコ型に限るものではなくブロック状として構成することも可能であり、ブロック状の基台２１とした場合、その中央にアジャスターネジ２３が螺合するネジ穴を設けることが出来る。
【００２４】
大きなガラスパネル１の上桟４は長くなり、上桟４に形成したガラス溝１３にガラス板２が嵌っているが、ガラス溝底との間には隙間が形成され、その為に長い上桟４はその自重の作用で撓み変形する。突っ張り金具２０は図１において、一般にガラス板２，２の間に配置される。そこで、（ａ）のガラス間仕切りの場合には中間部位に１個、（ｂ）に示すガラス間仕切りの場合には２個の突っ張り金具２０，２０が配置されて、上桟３と天井を連結している。
【００２５】
図６は突っ張り金具２０を示す別形態であり、正面図、底面図、及び側面図をそれぞれ表している。基本的な形態は前記図５の突っ張り金具２０と同じであるが、同図の基台２１の高さ寸法が大きくなり、その為に、ナット２２は丸パイプ２９に嵌って互いに溶接されている。
【００２６】
勿論、丸パイプ２９を用いることなく、基台２１の高さに適合したナット２２を使用して該基台２１に溶接してもよい。図７は図６に示す突っ張り金具２０を使用してガラスパネル１の上端と天井を連結した連結構造を示している。基本構造は前記図４にて説明した連結構造と同じであるが、天井に固定した天井レール８はその幅寸法が狭く、ガラスパネル１の上桟に形成している上部開口に嵌っている。
【００２７】
突っ張り金具２０の基台２１は天井レール８に嵌り、ネジ２８，２８にて天井に固定され、そしてアジャスターネジ２３は下方へ延び、該アジャスターネジ下端の頭部に溶接した円盤２５に上桟４がネジ２６にてネジ止めされている。
【００２８】
図８は突っ張り金具２０を使用してガラスパネル１の上端と天井を連結した連結構造を示す他の実施例である。同図に示す突っ張り金具２０は基台２１から下方へ延びるアジャスターネジ２３の下端に当接板３０を取付けているが、該当接板３０は頭部２４に溶接されていない。従って、当接板３０は回転することが出来るが、上昇しないように該アジャスターネジ２３にはスナップリング（止め輪）３３を嵌めている。
【００２９】
そして上記当接板３０は上桟４に設けている両凸片３１，３１の間に形成した溝３２に嵌っている。前記図４、図７に示した構造とは異なり、上桟４と当接板３０を連結する為のネジ２６，２６は用いていないが、該当接板３０が溝３２に嵌ることでガラスパネル１の上端は位置決めされる。そこで、該当接板３０は円盤でなく四角形板とする方が好ましい。
【符号の説明】
【００３０】
１   ガラスパネル
２   ガラス板
３   四方枠体
４   上桟
５   下桟
６   縦桟
７   巾木
８   天井レール
９   スタッド
10   壁レール
11   ジョイント材
12   ジョイント片
13   ガラス溝
14   ビード
15   床面
16   床レール
17   アジャスター
18   天井面
19   側片
20   突っ張り金具
21   基台
22   ナット
23   アジャスターネジ
24   頭部
25   円盤
26   ネジ
27   止着片
28   ネジ
29   丸パイプ
30   当接板
31   凸片
32   溝
33   スナップリング
【図１】
0006038432.tif 000002
【図２】
0006038432.tif 000003
【図３】
0006038432.tif 000004
【図４】
0006038432.tif 000005
【図５】
0006038432.tif 000006
【図６】
0006038432.tif 000007
【図７】
0006038432.tif 000008
【図８】
0006038432.tif 000009
【図９】
0006038432.tif 000010
【図１０】
0006038432.tif 000011